(57)【要約】      （修正有）【課題】従来の梯子を利用することにより、軽い、価格の安さを実現させ、太陽電池モジュールのサイズに合わせた設計の荷台で安全に荷揚げ、荷下ろしが可能となる太陽光発電システム部材荷揚げ機を提供する。【解決手段】上梯子２と下梯子３からなる２連梯子１の先端に滑車付梯子延長部１０と、前記上梯子と下梯子の段差部分に段差を埋める様に取り付けた左右２個の梯子段差スペーサー２０，２１と、前記２連梯子下方に電動ウインチ部３０とを設け、前記電動ウインチ部のワイヤ３６を前記滑車付梯子延長部先端の滑車１１を介して、太陽電池モジュール専用荷台５０と結び、前記２連梯子に設けた。【選択図】図１
0003173496.tif 000002
【実用新案登録請求の範囲】
【請求項１】
上梯子と下梯子からなる２連梯子の先端に取り付けた滑車付梯子延長部と、前記上梯子と前記下梯子との段差部分に左右２個の段差を埋める様に取り付けた梯子段差スペーサーと、前記下梯子の下端に電動ウインチ部を設け、前記電動ウインチ部のワイヤを前記滑車付梯子延長部先端の滑車を介して、太陽電池モジュール専用荷台と結んだ太陽光発電システム部材荷揚げ機。
【請求項２】
前記滑車付梯子延長部のフレームの下端がテーパーで、前記上梯子の梯子踏桟aに架かる滑車付梯子延長部振れ止めと前記上梯子の梯子踏桟bをつかむ滑車付梯子延長部留め金具で梯子踏桟bに固定する前記滑車付梯子延長部の構造を有することを特徴とする請求項１に記載の太陽光発電システム部材荷揚げ機。
【請求項３】
前記梯子段差スペーサーの上端がテーパーで、前記上梯子の梯子踏桟ｃに架かる梯子段差スペーサー振れ止めと前記上梯子の梯子踏桟ｄをつかむ梯子段差スペ  ーサー留め金具で梯子踏桟ｄに固定する前記梯子段差スペーサーの構造を有することを特徴とする請求項１又は２に記載の太陽光発電システム部材荷揚げ機。
【請求項４】
電動ウインチの両側の枠板と枠板を結ぶ固定ボルトで構成され、振れ止めと留め金具で前記２連梯子下端の踏桟に固定する構造であることを特徴とする請求項１、２又は３に記載の太陽光発電システム部材荷揚げ機。
【請求項５】
太陽電池モジュール専用荷台の裏側には、前記梯子段差スペーサー又は前記２連梯子の外側を案内するガイドローラーが有り、２連梯子に沿って動く構造である太陽電池モュール専用荷台であることを特徴とする請求項１〜４のいずれかに記載の太陽光発電システム部材荷げ機。         
【請求項６】
太陽電池モジュールの厚みに応じて変更できる太陽電池モジュール上部固定受け材を上部に有する太陽電池モジュール専用荷台であることを特徴とする請求項１〜５のいずれかに記載の太陽光発電システム部材荷揚げ機。
【請求項７】
太陽電池モジュールの上端を固定、解除可能な太陽電池モジュール上部留め金具を上部に有する太陽電池モジュール専用荷台であることを特徴とする請求項１〜６のいずれかに記載の太陽光発電システム部材荷揚げ機。
【請求項８】
太陽電池モジュールの保持厚みを変更できる太陽電池モジュール下部受け材を下部に有する太陽電池モジュール専用荷台であることを特徴とする請求項１〜７のいずれかに記載の太陽光発電システム部材荷揚げ機。
【請求項９】
太陽電池モジュールの長辺の長さにより太陽電池モジュール下部受け材の位置が変更できる太陽電池モジュール専用荷台であることを特徴とする請求項１〜８のいずれかに記載の太陽光発電システム部材荷揚げ機。
【請求項１０】
太陽電池モジュールの下端を固定する下部受け材留め金具を有する太陽電池モジュール専用荷台であることを特徴とする請求項１〜９のいずれかに記載の太陽光発電システム部材荷揚げ機。
【請求項１１】
太陽光システム部材基本荷台上部に取り付けた架台フレーム上部振れ止め、システム部材基本荷台中間部に取り付けた架台フレーム中間枠、太陽光システム部材基本荷台下部に取り付けた架台フレーム下部底付き枠を有する太陽電池架台フレーム専用荷台であることを特徴とする請求項１〜５のいずれかに記載の太陽光発電システム部材荷揚げ機。 
【考案の詳細な説明】
【技術分野】
【０００１】
本考案は、荷揚げ機に関し、地表から屋根へ太陽光発電システム部材を安全かつ速く運ぶための太陽光発電システム部材荷揚げ機に関するものである。
【背景技術】
【０００２】
従来、太陽光発電システム屋根工事で屋根に機械で太陽光発電システム部材を揚げるには、屋根瓦を屋根に揚げるための荷台を太陽光発電システム部材が乗るように改良した瓦揚げ機を使用している。これは、地表から屋根上面に沿って延びる専用の梯子状フレームを有し、このフレームの地表側付近に電動ウインチを取り付けると共に、梯子状フレームの屋根側先端部に滑車を取付け、電動ウインチから梯子状フレームの下側を通って屋根の上面に沿って延びるワイヤを、滑車を介して梯子状フレームの上面側に導き、ワイヤの一端を荷台に結ぶ。ウインチを操作し荷台を梯子状フレームの任意の位置で止められ、荷台を一番下に下降させ、この位置で荷台上に太陽光発電システム部材を載せる。この後、ウインチを操作し、ワイヤを巻取ることによって荷台を梯子状フレームの上面に沿って上昇し、屋根上の下ろし位置に到達する。下ろし位置に待機している作業員が静止状態に保持された荷台上から太陽光発電システム部材を下ろす。下ろし作業が終了すると再びウインチを操作し、空の荷台を地表側の載せる位置に下降させ、次の作業を開始する。（例えば、特許文献1参照。）。
【先行技術文献】
【特許文献】
【０００３】
【特許文献１】特開平８−５３２７６号公報（段落０００２〜０００３、第４図）
【考案の概要】
【考案が解決しようとする課題】
【０００４】
従来、瓦揚げ機改良型太陽光発電システム部材荷揚げ機は瓦等、重量物を屋根へ揚げるため、構成部品が重かった。荷台が動く梯子状フレームも専用であり一式の金額も高価であり、人の上り下り用に別の梯子を設置しなければならなかった。梯子状フレームは軒で曲がるが、その構造が複雑で、重く、設置時間も十分かかった。また長尺の架台フレームの長手方向を上に向けて揚げられなかったという問題点がある。
【０００５】
本考案は、このような従来の問題を解決しようとするもので、太陽光発電システム部材を安全にかつ速く運ぶことができる太陽光発電システム部材荷揚げ機を提供することを目的とするものである。
【課題を解決するための手段】
【０００６】
本考案は、上梯子と下梯子からなる２連梯子の先端に取り付けた滑車付梯子延長部と、前記上梯子と前記下梯子との段差部分に左右２個の段差を埋める様に取り付けた梯子段差スペーサーと、前記下梯子の下端に電動ウインチ部を設け、前記電動ウインチ部のワイヤを前記滑車付梯子延長部先端の滑車を介して、太陽電池モジュール専用荷台と結んだ太陽光発電システム部材荷揚げ機。また前記滑車付梯子延長部のフレームの下端がテーパーで、前記上梯子の梯子踏桟aに架かる滑車付梯子延長部振れ止めと前記上梯子の梯子踏桟bをつかむ滑車付梯子延長部留め金具で梯子踏桟bに固定する前記滑車付梯子延長部の構造を有することを特徴とする請求項１に記載の太陽光発電システム部材荷揚げ機。また前記梯子段差スペーサーの上端がテーパーで、前記上梯子の梯子踏桟ｃに架かる梯子段差スぺーサー振れ止めと前記上梯子の梯子踏桟ｄをつかむ梯子段差スペーサー留め金具で梯子踏桟ｄに固定する前記梯子段差スペーサーの構造を有することを特徴とする請求項１又は２に記載の太陽光発電システム部材荷揚げ機。また電動ウインチの両側の枠板と枠板を結ぶ固定ボルトで構成され、振れ止めと留め金具で前記2連梯子下端の踏桟に固定する構造であることを特徴とする請求項１、２又は３に記載の太陽光発電システム部材荷揚げ機。また太陽電池モジュール専用荷台の裏側には、前記梯子段差スペーサー又は前記２連梯子の外側を案内するガイドローラーが有り、２連梯子に沿って動く構造である太陽電池モジュール専用荷台であることを特徴とする請求項１〜４のいずれかに記載の太陽光発電システム部材荷げ機 。また太陽電池モジュールの厚みに応じて変更できる太陽電池モジュール上部固定受け材を上部に有する太陽電池モジュール専用荷台であることを特徴とする請求項１〜５のいずれかに記載の太陽光発電システム部材荷揚げ機。また太陽電池モジュールの上端を固定、解除可能な太陽電池モジュール上部留め金具を上部に有する太陽電池モジュール専用荷台であることを特徴とする請求項１〜６のいずれかに記載の太陽光発電システム部材荷揚げ機。さらに太陽電池モジュールの保持厚みを変更できる太陽電池モジュール下部受け材を下部に有する太陽電池モジュール専用荷台であることを特徴とする請求項１〜７のいずれかに記載の太陽光発電システム部材荷揚げ機。さらに太陽電池モジュールの長辺の長さにより太陽電池モジュール下部受け材の位置が変更できる太陽電池モジュール専用荷台であることを特徴とする請求項１〜８のいずれかに記載の太陽光発電システム部材荷揚げ機。さらに太陽電池モジュールの下端を固定する下部受け材留め金具を有する太陽電池モジュール専用荷台であることを特徴とする請求項１〜９のいずれかに記載の太陽光発電システム部材荷揚げ機。さらに太陽光システム部材基本荷台上部に取り付けた架台フレーム上部振れ止め、システム部材基本荷台中間部に取り付けた架台フレーム中間枠、太陽光システム部材基本荷台下部に取り付けた架台フレーム下部底付き枠を有する太陽電池架台フレーム専用荷台であることを特徴とする請求項１〜５のいずれかに記載の太陽光発電システム部材荷揚げ機を提供することにより上記課題を解決したものである。 
【考案の効果】
【０００７】
この考案によれば、従来の梯子を利用することにより、軽い、価格の安さを実現させた。また構成部品が軽いので設置時間も短くなった。荷台の種類を変えられるようになり、長尺の太陽電池架台フレームも長手方向を上方向に向けて揚げられるようになった。
【図面の簡単な説明】
【０００８】
【図１】本考案の太陽電池モジュール専用荷台付き荷揚げ機の全体構成を示す斜視図である。
【図２】２連梯子の斜視図である。
【図３】本考案の滑車付梯子延長部の斜視図である。
【図４】本考案の梯子段差スペーサーの斜視図である。
【図５】本考案の電動ウインチ部の斜視図である。
【図６】本考案の太陽光発電システム部材基本荷台の斜視図である。
【図７】本考案の太陽光発電システム部材基本荷台の裏側斜視図である。
【図８】本考案の太陽電池モジュール専用荷台の斜視図である。
【図９】本考案の上部固定受け材の斜視図である。
【図１０】本考案の下部受け材の下側斜視図である。
【図１１】本考案の太陽電池架台フレーム専用荷台の斜視図である。
【図１２】太陽電池モジュールの斜視図である。
【図１３】太陽電池架台フレームの斜視図である。
【考案を実施するための形態】
【０００９】
図１は本考案の実施形態に係る太陽電池モジュール専用荷台５０（図８に記載）付き荷揚げ機の全体構成を示す斜視図である。この考案が採った手段は、第一に上梯子２と下梯子３からなる２連梯子１（図2に記載）を地表７０から屋根７１の軒先７２に架ける。２連梯子１には記載されていないが、ひもがついており、ひもをひっぱることで梯子の長さが調整できる。
【００１０】
上梯子２の軒先７２に近い踏桟b５に滑車付梯子延長部１０（図３に記載）のフレーム１５に取り付けた左右２個の滑車付梯子延長部振れ止め金具１３を差し込み、次にフレーム１５に取り付けた左右２個の滑車付梯子延長部留め金具１２ですぐ上の踏桟a４に固定する。フレーム１５の先端部の左右２ヶ所の滑車付梯子延長テーパー部１４は太陽電池モジュール専用荷台５０が滑車付梯子延長部１０と上梯子２との間を滑らかに動けるようにしたものである。
【００１１】
次に太陽電池モジュール専用荷台５０が上梯子２と下梯子３との間を滑らかに動けるようにするため、左右２個の梯子段差スペーサー２０，２１（図４に記載）を段差６を埋めるように設ける。梯子段差スペーサー振れ止め２３を段差６の2つ上の踏桟c７に差し込み、次に梯子段差スペーサー留め金具２２で段差６のすぐ上の踏桟d８の両端に固定する。
【００１２】
地表７０に近い踏桟に、電動ウインチ３１、枠板３３、固定ボルト３７、振れ止め３５と留め金具３４（図５に記載）で構成されている電動ウインチ部３０の振れ止め３５を差し込み、留め金具３４ですぐ上の踏桟に電動ウインチ部３０を固定する。
【００１３】
ワイヤ３６の先端を2連梯子1と滑車付梯子延長部１０の裏から滑車１１を介して１８０度折り曲げ、滑車付梯子延長部１０と２連梯子1の表へ下げ、ワイヤ３６の先端にロック付フック４８を付け、太陽光発電システム部材基本荷台４０（図６に記載）の上部の吊金具４５と結べば、操作部３２で太陽光発電システム部材基本荷台４０を上下でき、太陽電池モジュール８０を屋根７１に揚げられる。
【００１４】
太陽光発電システム部材基本荷台４０は平板を荷台枠板４１とし、板表側上部には、荷台を吊るための吊金具４５付き上部固定受け材４３（図９に記載）がある。上部固定受け材４３は太陽電池モジュール８０（図１２に記載）の保持厚みを変更でき、左右２組の上部留め金具４６は太陽電池モジュール８０の上部の固定及び解除に使う。
【００１５】
太陽光発電システム部材基本荷台４０の裏側（図７に記載）の両側に裏縦桟木４２があるガイドローラー４７が内側に向き合って付いている。ガイドローラー４７は、陽光発電システム部材基本荷台４０を２連梯子１や滑車付梯子延長部１０の外側に案内するものである。
【００１６】
太陽光発電システム部材基本荷台４０に太陽電池モジュール８０の保持厚みを変更できる下部受け材５１（図１０に記載）を太陽電池モジュール８０の長辺の長さに対応した場所に付ければ太陽電池モジュール専用荷台５０（図８に記載）になる。
【００１７】
太陽電池モジュール専用荷台５０は太陽電池モジュール８０を揚げる時、太陽電池モジュール８０の下部を太陽電池モジュール下部受け材５１の下部留め金具５２（図１０に記載）の内側に載せ、さらに太陽電池モジュール８１の上部を上部固定受け材４３の左右２組の回転する太陽電池モジュール上部留め金具４６の重さを利用し、下向きにし固定する。屋根７１で太陽電池モジュール８０を下ろす時は、左右２組の上部留め金具４６を９０度回転させて横にし、太陽電池モジュール８０の上部の固定を解除する。
【００１８】
太陽光発電システム部材基本荷台４０に架台フレーム上部振れ止め６１、架台フレーム中間枠６２、架台フレーム下部底付き枠６３を付ければ、太陽電池架台フレーム専用荷台６０（図１１に記載）になる。架台フレーム中間枠６２と架台フレーム下部底付き枠６３に上から差し込めば太陽電池架台フレーム８１（図１３に記載）の長手方向を上に向けて揚げられる
【符号の説明】
【００１９】
１  ２連梯子
２  上梯子
３  下梯子
４  踏桟ａ
５  踏桟b
６  段差
７  踏桟c
８  踏桟d
１０  滑車付梯子延長部
１１  滑車
１２  滑車付梯子延長部留め金具
１３  滑車付梯子延長部振れ止め
１４  滑車付梯子延長テーパー部  
１５  フレーム                                    
２０  左梯子段差スペーサー
２１  右梯子段差スペーサー
２２  梯子段差スペーサー留め金具
２３  梯子段差スペーサー振れ止め
３０  電動ウインチ部
３１  電動ウインチ
３２  操作部
３３  枠板
３４  留め金具
３５  振れ止め
３６  ワイヤ
３７  固定ボルト
４０  太陽光発電システム部材基本荷台
４１  荷台枠板
４２  裏縦フレーム
４３  上部固定受け材
４５  吊金具                                                          
４６  上部固定受け材留め金具
４７  ガイドローラー
４８  ロック付フック
４９  荷台枠板裏側
５０  太陽電池モジュール専用荷台
５１  下部受け材
５２  下部受け材留め金具
６０  太陽電池架台フレーム専用荷台
６１  架台フレーム上部振れ止め
６２  架台フレーム中間枠
６３  架台フレーム下部底付き枠
７０  地表    
７１  屋根
７２  軒先
８０  太陽電池モジュール                                              
８１  太陽電池架台フレーム  
【図１】
0003173496.tif 000003
【図２】
0003173496.tif 000004
【図３】
0003173496.tif 000005
【図４】
0003173496.tif 000006
【図５】
0003173496.tif 000007
【図６】
0003173496.tif 000008
【図７】
0003173496.tif 000009
【図８】
0003173496.tif 000010
【図９】
0003173496.tif 000011
【図１０】
0003173496.tif 000012
【図１１】
0003173496.tif 000013
【図１２】
0003173496.tif 000014
【図１３】
0003173496.tif 000015